(57)【要約】【課題】ガラス製であっても破損のおそれが少なく、また、合成樹脂製であっても錘を設ける必要がなく、水中での動きに変化をつけやすい疑似餌を提供する。【解決手段】疑似餌１は透明ガラスで形成された疑似餌本体２と、疑似餌本体２の頭部２Ａおよび尾部２Ｂを覆うように嵌合される金属製のキャップ３，４と、頭部２Ａの側のキャップ３と尾部２Ｂの側のキャップ４とを連結して一体化する連結部材５とから成るものである。キャップ３，４には、釣り針６の装着および釣り糸７の接続が可能なように、連結金具３０，４０や貫通孔３１，４１が形成されている。【選択図】図１
2007312765.tif 000002
【特許請求の範囲】
【請求項１】
透光性を有するガラスまたは合成樹脂で形成された疑似餌本体と、前記疑似餌本体の頭部および尾部を覆うように嵌合されるキャップと、頭部側のキャップと尾部側のキャップとを連結して一体化する連結部材とから成り、前記キャップの少なくとも一方は、釣り針の装着および釣り糸の接続が可能に形成されて成る疑似餌。
【請求項２】
前記疑似餌本体は、少なくとも２枚のガラス板または合成樹脂板を重ねかつ一体接合して構成されている請求項１に記載された疑似餌。
【請求項３】
前記疑似餌本体の内部に、網状またはシート状の補強部材が設けられている請求項１または２に記載された疑似餌。
【請求項４】
前記疑似餌本体には、光輝性部材が設けられている請求項１〜３のいずれかに記載された疑似餌。
【請求項５】
前記疑似餌本体の内部に、蓄光部材が設けられている請求項１〜４のいずれかに記載された疑似餌。
【請求項６】
前記疑似餌本体は、上下非対称の外形に形成されている請求項１〜５のいずれかに記載された疑似餌。
【請求項７】
前記連結部材は線材であって、各キャップを長さ方向と直交する方向に貫通する貫通孔にそれぞれ通しかつ両端を結んで各キャップを一体化している請求項１に記載された疑似餌。
【請求項８】
前記連結部材は線材であって、疑似餌本体および各キャップをそれぞれ長さ方向に貫通する貫通孔に一連に通しかつ両端を各キャップに止着して各キャップを一体化している請求項１に記載された疑似餌。
【請求項９】
前記連結部材は、少なくとも両端にねじ部を有する軸と、軸の両端のねじ部にそれぞれねじ込まれるナットとから成り、前記軸は疑似餌本体および各キャップをそれぞれ長さ方向に貫通する貫通孔に一連に通しかつ両端のねじ部を各キャップより突出させるとともに、各ねじ部にナットをそれぞれねじ込んで各キャップを一体化している請求項１に記載された疑似餌。
【発明の詳細な説明】
【技術分野】
【０００１】
この発明は、魚釣りに用いられる疑似餌に関し、特にこの発明は、透光性を有するガラスや合成樹脂で形成されている疑似餌に関する。
【背景技術】
【０００２】
従来、疑似餌として、全体がガラスで形成されたものや、ワイヤーなどの芯材の表面にガラス材を覆うように配置されたものなどが提案されている（例えば特許文献１参照）。従来の疑似餌は、一般に外形を魚の形状に似せてあり、そのために頭部と尾部とは先が細い形状になっている。疑似餌の内部には、魚の興味を引きつけるために、光輝性粒子などが埋設されており、外部からの光が光輝性粒子に当たると、光が四方へ散乱して光り輝くようになっている。
【０００３】
【特許文献１】特開２０００−２９５９４０号公報
【発明の開示】
【発明が解決しようとする課題】
【０００４】
上記した構成の疑似餌の場合、特に頭部や尾部は先細の形状であるため、強度に乏しく、破損のおそれがある。また、ガラスに代えて合成樹脂を用いた場合、破損のおそれは少なくなるが、軽量であるため、特に水深が深い所まで沈降させるには、錘を設ける必要がある。さらに、疑似餌自体が軽量であるため、たとえ疑似餌の形状を工夫しても、水中での疑似餌の動きに変化をつけることは難しい。
【０００５】
この発明は、上記した問題に着目してなされたもので、ガラス製であっても破損のおそれが少なく、また、合成樹脂製であっても錘を設ける必要がなく、水中での動きに変化をつけやすい疑似餌を提供することを目的とする。
【課題を解決するための手段】
【０００６】
この発明による疑似餌は、透光性を有するガラスまたは合成樹脂で形成された疑似餌本体と、前記疑似餌本体の頭部および尾部を覆うように嵌合されるキャップと、頭部側のキャップと尾部側のキャップとを連結して一体化する連結部材とから成るもので、前記キャップの少なくとも一方は、釣り針の装着および釣り糸の接続が可能に形成されて成る。
【０００７】
上記した構成の疑似餌では、疑似餌本体の頭部および尾部が先細の形状であっても、キャップを嵌合しているので、疑似餌本体がガラス製である場合、頭部および尾部の破損が防止される。また、疑似餌本体が合成樹脂製である場合、頭部および尾部の破損が防止されることに加えて疑似餌本体が重くなり、水中での疑似餌の動きに変化をつけることができる。
また、頭部側のキャップと尾部側のキャップとが連結部材により連結されて一体化されているので、キャップの抜けが防止される。特に、キャップに装着された釣り針に魚が食い付いてキャップに強い引張力が作用しても、キャップが脱落することはない。
【０００８】
この発明の上記した構成において、前記疑似餌本体は、ガラス成形体や合成樹脂成形体であってもよいが、好ましい実施態様においては、少なくとも２枚のガラス板または合成樹脂板を重ねかつ一体接合して構成する。前記ガラス板や合成樹脂板は透光性を有していれば透明であっても半透明であってもよく、また、無色であっても着色されたものであってもよい。この実施態様によれば、重ねられたガラス板の間または合成樹脂板の間に光輝性部材などを設けることが可能である。なお、重ねられたガラス板や合成樹脂板は、全体を透明の接着剤により接着するか、外周部のみを透明または不透明な接着剤により接着することにより一体化することができるが、両面に接着剤が塗布されたシートなどを用いて重ねられたガラス板や合成樹脂板一体接合することもできる。なお、疑似餌本体をガラスを用いて構成する場合、強化ガラスを用いることもできる。
【０００９】
この発明の好ましい実施態様においては、前記疑似餌本体の内部に網状またはシート状の補強部材が設けられている。この実施態様によると、特に疑似餌本体がガラス製である場合、補強部材によって疑似餌本体の強度が高められる。また、ガラス板や合成樹脂板を重ねて疑似餌本体を形成する場合、重ね合わせ部分に網状の補強部材を介在させることによってガラス板間または合成樹脂板間に隙間が設定され、各網目の隙間に光輝性部材などを配設することができる。
【００１０】
好ましい実施態様においては、前記疑似餌本体には光輝性部材が設けられている。例えば、疑似餌本体が一体ものである場合はその表面に、複数枚のガラス板などを重ねて構成されている場合はその表面または重ね合わせ面に、それぞれ焼付印刷によって光輝性部材を設けることができる。また、前記光輝性部材として、例えば、金粉や色粉のような粉状や粒状のもの、アルミ箔やマイカのような薄膜状のものなどを疑似餌本体の内部に埋設することができる。この実施態様によれば、外部からの光が光輝性部材に当たって四方へ散乱したり、光輝性部材の色調が見る角度によって変化したりするので、魚の興味を引きつけることができる。
【００１１】
他の好ましい実施態様においては、前記疑似餌本体の内部に蓄光部材が設けられている。この実施態様によれば、昼光が蓄光材料に蓄えられ、暗くても蓄光部材が光を放つので、夜間や水深の深い所であっても魚の興味を引きつけることができる。
【００１２】
さらに好ましい実施態様においては、前記疑似餌本体は、上下非対称の外形に形成されており、これにより水中での疑似餌の動きに変化をつけることができる。
【００１３】
この発明の好ましい実施態様においては、前記連結部材は線材であって、各キャップを長さ方向と直交する方向に貫通する貫通孔にそれぞれ通しかつ両端を結んで各キャップを一体化するか、または、疑似餌本体および各キャップをそれぞれ長さ方向に貫通する貫通孔に一連に通しかつ両端を各キャップに止着して各キャップを一体化している。
なお、線材は、金属製のワイヤーの他、ナイロンやテトロン（登録商標）などの紐を含むものである。
これらの実施態様によると、頭部側のキャップと尾部側のキャップとが線材によって容易に一体化できる。なお、連結部材は線材に限らず、例えば、断面がＵ字状の金属製などのフレームを疑似餌本体の両側縁に嵌め込むような構成のものであってもよく、この場合は、各フレームの両端部はキャップに一体連結される。
【００１４】
また、前記連結部材は、少なくとも両端にねじ部を有する軸と、軸の両端のねじ部にそれぞれねじ込まれるナットとを用いて構成することも可能であり、前記軸は疑似餌本体および各キャップをそれぞれ長さ方向に貫通する貫通孔に一連に通しかつ両端のねじ部を各キャップより突出させるとともに、各ねじ部にナットをそれぞれねじ込んで各キャップを一体化するものである。
【発明の効果】
【００１５】
この発明によると、キャップがガラスまたは合成樹脂材により形成された疑似餌本体の頭部および尾部に嵌合されるので、頭部および尾部が外部から衝撃により破損するのが防止され、疑似餌本体の強度が高められる。また、疑似餌本体が合成樹脂製である場合に、金属製のキャップによって重量が増すので、錘を設ける必要がなく、疑似餌の水中での動きに変化をつけることが可能である。さらに、頭部側のキャップと尾部側のキャップとが連結部材により連結されて一体化されているので、一方のキャップに強い引張力が作用しても、キャップが脱落することがない。
【発明を実施するための最良の形態】
【００１６】
図１および図２は、この発明の一実施例である疑似餌１の外観を示している。
図示例の疑似餌１は、透光性を有する疑似餌本体２と、前記疑似餌本体２の頭部２Ａおよび尾部２Ｂを覆うように外側より嵌合される金属製のキャップ３，４と、頭部側のキャップ３と尾部側のキャップ４とを連結して一体化する連結部材５とから成る。
前記疑似餌本体２は、図３〜図５に示すように、外形および厚みが同一の２枚の透明なガラス板２０，２０を重ねたもので、外周縁が接着剤１０により一体接合されている。前記接着剤１０はその用途に応じて透明または不透明なものを用いるが、ＵＶ接着剤などの接着剤を用いて隙間が生じないようにガラス板２０，２０間の外周をシールするのが望ましい。また、ガラス板２０に代えてアクリル系樹脂やポリカーボネートのような合成樹脂板を用いて疑似餌本体２を形成してもよい。
【００１７】
この実施例のガラス板２０は、長さ中央部の幅が広く、長さ中央部から両端部にかけて次第に幅が狭くなっている。一端部が頭部２Ａ、他端部が尾部２Ｂであり、図示例のように、平面形状が前後および左右のいずれにも対称であってもよいが、頭部２Ａの側を尾部２Ｂの側より広幅に形成するなどして、その重量比を７対３、または６対４などに設定することができる。頭部２Ａおよび尾部２Ｂには、矩形状部２１，２２がそれぞれ形成されており、各矩形状部２１，２２に金属製のキャップ３，４がそれぞれ外側より嵌めてある。
【００１８】
図示例の各キャップ３，４は、同一形状のものであるが、頭部２Ａの側が尾部２Ｂの側より大きい疑似餌本体２であれば、頭部２Ａの側のキャップ３を尾部２Ｂの側のキャップ４より大きなものとする。各キャップ３，４の内部は疑似餌本体２の矩形状部２１，２２を挿入することが可能な中空部になっている。各キャップ３，４は、鉄、鉛などの金属材料を用いて製作されているが、強度を有していれば、合成樹脂材料を用いて製作してもよい。各キャップ３，４の先端にはＵ字状の連結金具３０，４０がそれぞれ突設されており、さらに各キャップ３，４には、上下に貫通する２個の貫通孔３１，３２および４１，４２がそれぞれ設けられている。各キャップ３，４の前記連結金具３０，４０にはリング６０を介して釣り針６がそれぞれ取り付けられている。頭部２Ａの側のキャップ３の貫通孔３１には釣り糸７が接続されている。なお、釣り針６は尾部２Ｂの側の連結金具４０にのみ取り付け、釣り糸７を頭部２Ａの側に連結金具３０に接続してもよい。また、釣り針６は後述するワイヤー５０の適所にも取り付けてもよい。
【００１９】
各キャップ３，４の他方の貫通孔３２，４２には、連結部材５を構成する１本のワイヤー５０がそれぞれ通されている。各ワイヤー５０の両端部は、疑似餌本体２の長さ中央部において幅方向に巻かれたうえで一体に結ばれている。なお、各ガラス板２０は、両側縁の長さ中央部に、前記ワイヤー５０が係入される係合溝２３が形成されている。また、連結部材５は金属製のワイヤー５０に代えて、ナイロンやテトロン（登録商標）などの種々の色彩の紐を用いることができる。
【００２０】
前記疑似餌本体２の内部、この実施例では、２枚のガラス板２０，２０の重ね合わせ部分には、網状の補強部材８を介在させてある。この実施例では金属製の補強部材８を用いているが、これに限らず、ナイロン製やテトロン（登録商標）製などを補強部材を用いてもよい。
前記補強部材８は、所定の直径の線材８０を縦横に編んで形成されており、ガラス板２０，２０間には、補強部材８の各網目内に線材８０の直径に相当する隙間が形成されている。なお、線材８０に沿って接着剤を塗布すればガラス板２０の一体化を強化することができる。一部の網目８１には光輝性部材９が、他の一部の網目８２には蓄光部材９０が、それぞれ配設されており、その他の網目８３は介在物が存在しない透光部になっている。
上記した網状の補強部材８は、疑似餌本体２の補強に加えて、ガラス板２０，２０間の隙間設定や光輝性部材９や蓄光部材９０の保持に有効に機能する。
【００２１】
なお、この実施例では、補強部材８として網状のものを用いているが、これに限らず、シート状のものを用いることができる。この場合、シート状の補強部材８を所定の間隔を設けて配置すれば、補強部材８，８間に光輝製部材９や蓄光部材３０を配設することができる。
【００２２】
上記実施例では、２枚のガラス板２０，２０間に、外部からの光を受けて光り輝く光輝性部材９や蓄光部材９０を配置しているが、これに限らず、発光ダイオードのような発光素子を設けることもできる。その場合には、２枚のガラス板２０，２０の重合面の少なくとも一方に凹部を形成し、その凹部内に発光素子と電池とを実装した基板を固定する。特に発光ダイオードの場合、多色発光のものや点滅するタイプのものなど、種々のものを用いることができる。
【００２３】
なお、上記した実施例の疑似餌本体２は、２枚のガラス板２０，２０を重ねかつ一体接合して形成されているので、上下対称の形状になっているが、図６に示すように、上面が凹面形状に、下面が凸面形状に、それぞれ形成するなどして、上下非対称の形状に形成することにより、水中での疑似餌の動きに変化をつけることができる。
なお、図６に示す実施例は、疑似餌本体２を一体ものでガラス成形している他は、上記した第１実施例と同様の構成であり、ここでは対応する箇所に同一の符号を付することで説明を省略する。
【００２４】
図７は、ワイヤー５０を用いた他の連結部材５の構成を示している。
図示例のものは、疑似餌本体２および各キャップ３，４にそれぞれ長さ方向に貫通する貫通孔２５，３３，４３が形成されており、各貫通孔２５，３３，４３にワイヤー５０を一連に通し、ワイヤー５０の一端に設けられたリング５１を頭部側のキャップ３に抜け止め状態で止着するとともに、ワイヤー５０の他端にリング５２を取り付けて尾部側のキャップ４に抜け止め状態で止着することにより、各キャップ３，４を一体化している。
【００２５】
前記疑似餌本体２は、図８に示すように、成形ガラスより成る２枚のガラス板２０，２０を中間に補強部材８を介在させて一体接合したもので、各ガラス板２０，２０の内面に長さ方向に形成された凹部２４，２４が突き合わさることにより前記貫通孔２５が形成されている。
なお、各ガラス板２０を平板状の板ガラスを用いて構成するときは、図９に示すように、補強部材８に厚みを持たせることにより前記貫通孔２５を形成する。
【００２６】
図１０は、連結部材５としてねじ軸５３を用いた実施例を示している。
図示例のものも、前記疑似餌本体２および各キャップ３，４は長さ方向に貫通する貫通孔２５，３３，４３をそれぞれ有し、各貫通孔２５，３３，４３に前記ねじ軸５３を一連に通しかつ両端を各キャップ３，４より突出させるとともに、各突出端にナット５４，５４をそれぞれねじ込むことにより、各キャップ３，４を一体化している。
なお、図中、５６は釣り針などの取付部５７を有する金具であり、ナット５５によりねじ軸５３上に取り付けられる。
【００２７】
上記した構成の疑似餌１では、疑似餌本体２の頭部２Ａおよび尾部２Ｂが先細の形状になっているが、金属製のキャップ３，４を外側より嵌合しているので、ガラス製の疑似餌本体２は、特に頭部２Ａおよび尾部２Ｂの強度が高められ、頭部２Ａおよび尾部２Ｂの破損が防止される。また、頭部２Ａの側のキャップ３と尾部２Ｂの側のキャップ４とが連結部材５であるワイヤー５０やねじ軸５３により連結されて一体化されているので、キャップ３，４が疑似餌本体２より抜けるのが防止され、特に、キャップ３，４に装着された釣り針６に魚が引っ掛かってキャップ３，４に強い引張力が作用しても、キャップ３，４が脱落することがない。
なお、疑似餌１の強度を増すために、疑似餌１の全体または疑似餌本体２を透明の合成樹脂塗料を用いてコーティングすることにより保護被膜を形成してもよい。
【００２８】
疑似餌１が水中に位置するとき、疑似餌本体２は透光性を有するので、水面からの入射光は疑似餌本体２を透過して疑似餌１の下方に達し、疑似餌１より深い位置にいる魚の視界に疑似餌１が入る。また、水底での反射光は疑似餌本体２を透過し、さらに、水面からの入射光は疑似餌本体２の表面で反射するので、疑似餌１より浅い位置にいる魚の視界に疑似餌１が入る。
光が光輝性部材９に当たると、四方に散乱するので、周囲の魚の興味が疑似餌１に引きつけられる。また、蓄光部材９０が光を放つので、夜間や水深の深い所であっても、周囲の魚の興味が疑似餌１に引きつけられる。光輝性部材９や蓄光部材９０は補強部材８の一部の網目８１，８２に配置されており、その他の網目８３は透光部になっているので、水面や水底からの光は疑似餌本体２の透光部の位置を透過する
【００２９】
なお、疑似餌本体２を合成樹脂により形成した場合、疑似餌本体２の頭部２Ａおよび尾部２Ｂの破損が防止されることに加えて、疑似餌本体２がキャップ３，４の重量により重くなり、水中での疑似餌１の動きに変化をつけることができる。
【図面の簡単な説明】
【００３０】
【図１】この発明の一実施例である疑似餌の外観を示す平面図である。
【図２】疑似餌の外観を示す側面図である。
【図３】図１のＡ−Ａ線に沿う断面図である。
【図４】図２のＢ−Ｂ線に沿う断面図である。
【図５】疑似餌の分解斜視図である。
【図６】疑似餌の他の実施例を示す斜視図である。
【図７】この発明の他の実施例を示す分解斜視図である。
【図８】図７の実施例の断面図である。
【図９】板ガラスが用いられた実施例の断面図である。
【図１０】他の連結部材が用いられた実施例を示す分解斜視図である。
【符号の説明】
【００３１】
１    疑似餌
２    疑似餌本体
２Ａ  頭部
２Ｂ  尾部
３，４  キャップ
５    連結部材
６    釣り針
７    釣り糸
８    補強部材
９    光輝性部材
２５  貫通孔
３２，３３，４２，４３  貫通孔
５０  ワイヤー
５３  ねじ軸
５４  ナット
９０  蓄光部材
【図１】
2007312765.tif 000003
【図２】
2007312765.tif 000004
【図３】
2007312765.tif 000005
【図４】
2007312765.tif 000006
【図５】
2007312765.tif 000007
【図６】
2007312765.tif 000008
【図７】
2007312765.tif 000009
【図８】
2007312765.tif 000010
【図９】
2007312765.tif 000011
【図１０】
2007312765.tif 000012